(57)【要約】【課題】IP電話機に留守番設定した本人が帰宅して留守番状態でなくなったことを、特定の相手方に帰宅を通知する。【解決手段】IP電話機の記憶手段１に、留守通知先電話番号と短縮電話番号とそれぞれに対応する電子メールアドレスを記憶しておく。留守中に着信があれば、その電話番号が着信記録として記憶される。留守番状態解除手段２からの留守番状態解除信号に応答して、留守通知先に留守番状態解除通知の電子メールを自動的に送信する。記憶手段１から着信電話番号を読み出して、短縮ダイヤル登録されていれば、メッセージ手段４から発信手段３を介して、帰宅したことを知らせる電子メールを自動的に送信する。【選択図】図１
2006100872.tif 000002
【特許請求の範囲】
【請求項１】
特定の相手方の電子メールアドレスを記憶する記憶手段と、電話機の留守番状態を解除する解除手段と、前記解除手段からの留守番状態解除信号に基づいて、前記電子メールアドレス宛にメッセージを送信する手段とを具備することを特徴とするIP電話装置。
【請求項２】
メモリに登録されている相手方の電子メールアドレスを記憶する記憶手段と、電話機の留守番状態を解除する解除手段と、前記解除手段からの留守状態解除信号に基づいて、メモリに登録されていて留守番状態中に着信した相手の電子メールアドレス宛にメッセージを送信する送信手段とを具備することを特徴とするIP電話装置。
【請求項３】
前記送信手段は、留守状態中の着信時に受信した発信者情報に基づき電子メールアドレスを決定することを特徴とする請求項２記載のIP電話装置。
【発明の詳細な説明】
【技術分野】
【０００１】
本発明は、IP電話装置に関し、特に、電話機の留守番状態を解除したことを特定の相手方に通知するIP電話装置に関する。
【背景技術】
【０００２】
ボタン電話機や単独電話機では、留守番機能は一般化している。留守番セット中に着信があると、留守中のメッセージが相手に送出され、その後に相手方のメッセージが録音できる、などが一般的な留守番機能である。発信しなくても留守状態がわかるように、交換機サービスを利用して、相手方に留守番状態を通知することが知られている。
【０００３】
特許文献１に開示されている「留守番電話サービスにおける留守通知方式」は、留守番電話サービスを登録する加入者の留守を、当該留守を通知したい相手からの着信を待たずに、即座に通知するものである。留守番電話サービスを登録する加入者からのダイヤリングにより、留守通知する相手加入者端末の電話番号及びメッセージを入力する。中央制御装置は、当該電話番号及びメッセージを主記憶装置に記憶させるとともに、プログラムを起動して、通知された着信加入者端末に対して自動的に発呼し、応答があった場合は音声蓄積手段に記憶しておいたメッセージを聞かせることにより、留守の通知を行う。
【特許文献１】特開平11-017812号公報
【発明の開示】
【発明が解決しようとする課題】
【０００４】
しかし、従来の留守通知方式では、留守番状態を通知するのみで、留守番状態解除を通知しないので、結局、電話をかけてみないと留守か否かわからないという問題がある。留守中に電話があった場合、帰宅した本人は相手の用件を聞くことができる。しかし、電話した相手は、その人が帰宅したかどうかわからない。再度電話するか、相手から電話してもらうしかない。
【０００５】
本発明の目的は、上記従来の問題を解決して、本人が帰宅して電話機が留守番状態でなくなったことを、相手方に通知できるようにすることである。
【課題を解決するための手段】
【０００６】
上記の課題を解決するために、本発明では、IP電話装置を、特定の相手方の電子メールアドレスを記憶する記憶手段と、電話機の留守番状態を解除する解除手段と、前記解除手段からの留守番状態解除信号に基づいて、電子メールアドレス宛にメッセージを送信する手段とを具備する構成とした。
【発明の効果】
【０００７】
上記のように構成して自動的に帰宅の通知を行うことで、留守中に電話してきた相手に対して、相手からの着信がなくても、発信操作をすることなく相手に帰宅を知らせることができる。
【発明を実施するための最良の形態】
【０００８】
以下、本発明を実施するための最良の形態について、図１〜図５を参照しながら詳細に説明する。
【実施例】
【０００９】
本発明の実施例は、短縮ダイヤル、オートダイヤル、電話帳などに登録した電話番号に対応付けた電子メールアドレスや留守状態通知先情報をメモリに記憶しておき、電話機の留守状態解除信号に応答して、メモリに記憶してある相手に、帰宅を通知するメッセージを電子メールで送信するIP電話装置である。なお、留守状態通知先情報とは、留守番をセットした時に留守状態を通知する同一電話システム内の相手方の情報のことである。
【００１０】
図１は、本発明の実施例におけるIP電話装置の留守状態解除通知に関連する部分の構成を示す機能ブロック図である。図１において、記憶手段１は、短縮ダイヤル、オートダイヤル、電話帳、電子メールアドレス、留守状態通知先情報、発信者電話番号を記憶するメモリである。留守番状態解除手段２は、電話機の留守番状態を解除するためのボタンを備えた解除手段である。発信手段３は、自動的に電子メールを発信する手段である。メッセージ手段４は、帰宅したことを知らせるメッセージを記憶して送信のために出力する手段である。図２は、同一電話システム内のIP電話の説明図である。図３は、IP電話装置の留守番状態解除の動作手順を示す流れ図である。図４は、留守番状態解除通知（信号）を受信する側のIP電話装置の受信動作手順を示す流れ図である。図５は、留守番状態解除通知（信号）を受信する側のIP電話装置の発信動作手順を示す流れ図である。
【００１１】
上記のように構成された本発明の実施例におけるIP電話装置の動作を説明する。最初に、留守番状態解除通知を行うIP電話装置の機能の概要を説明する。電話機の留守番状態を解除した場合、メモリ登録されていて留守中に着信が有った相手などに対して、留守番状態が解除された旨を通知する。本人の留守中に、相手が本人に電話した場合、相手は本人の電話機の留守番機能により、本人が留守だと判断できる。そこで、本人が帰宅した場合に、留守番状態解除をすると、相手に自動的に、帰宅した旨の通知を行う。相手は、わざわざ電話をすることなく、本人が帰宅したことを確認できる。ただし、留守中の全ての着信に対して帰宅の通知をすることは、現実的には無意味であるので、留守状態解除通知は、特定の相手方に限定する。例えば、留守中に着信があってメモリに登録されている相手などに帰宅の通知を行う。
【００１２】
電話機の留守番状態を解除すると、予め設定した相手に対して通知する。予め設定した相手とは、留守番状態設定中に着信した相手のうちで、短縮ダイヤル、オートダイヤル、電話帳などに対応付けた電子メールアドレスに登録している相手と、留守状態通知先情報に登録されている留守番状態を通知した相手などである。同一電話システム内の相手には、制御情報（ランプ消灯要求など）を通知する。システム外の相手には、文字情報で通知する。図２に示すように、相手側の電話機Ｂが、自己の電話機Ａと同じように、留守状態に関する制御情報を送受信することにより留守中の表示などの制御ができる機能を備えている主装置に接続されている場合に、相手が同一電話システム内にあるという。同一電話システム内にない相手を、システム外の相手という。留守番状態にセットすると、同一電話システム内の場合は、記憶手段１に記憶しておいた留守状態通知先情報に基づいて留守状態に関する制御情報を送信して留守状態を通知しておくことが可能であり、また同一電話システム外の場合は、留守番セット状態であることを電子メールで通知することが可能である。
【００１３】
次に、図１を参照しながら、留守番状態解除通知を行うIP電話装置の動作を説明する。図１は、IP電話装置のうちの、留守番状態解除通知の機能に関係する部分のみを示したブロック図である。記憶手段１に、短縮電話番号に対応する電子メールアドレスと、留守状態通知先情報として電話番号（内線番号または外線番号）を記憶しておく。留守中に着信があれば、その電話番号が着信記録として記憶される。留守番状態解除手段２からの留守番状態解除信号に応答して、記憶手段１から発信者電話番号を読み出して、その番号が短縮ダイヤル登録されていれば、メッセージ手段４により発信手段３を介して、帰宅したことを知らせる電子メールを自動的に送信する。
【００１４】
次に、図３を参照しながら、IP電話装置の動作手順を説明する。Step1で、電話機の留守番状態が解除されると、Step2で、同一電話システム内で留守状態に関する制御情報を送信した相手があるかどうか調べる。あれば、Step3で、その相手先に在宅表示データを通知する。Step4で、システム外で留守状態を通知した相手先があるかどうか調べる。あれば、Step5で、在宅表示データを電子メールで通知する。Step6で、留守中に電話がかかってきたか調べる。かかってきていなければ、そのまま終了する。かかってきていれば、Step7で、その相手がメモリに登録されているか調べる。１人も登録されていなければ、そのまま終了する。登録されている相手があれば、Step8で、その相手が同一電話システム内の相手かどうか調べる。相手が同一電話システム内であれば、Step9で、その相手に在宅表示データを通知する。その相手がシステム外の相手であれば、Step10で、在宅表示データを電子メールで通知する。
【００１５】
図４を参照しながら、留守番状態解除通知を受信する側の電話機の動作を説明する。受信側が同一電話システム内の場合、Step11で、留守状態に関する制御情報を受け取ったかどうか調べる。受け取っていれば、Step12で、留守相手先データを記憶する。Step13で、その情報を、指定された内線電話機に一定時間表示する。Step14で、フレキシブルキーに留守相手先のキー登録があるかどうか調べる。あれば、Step15で、相手先の留守を示すLEDを点灯する。Step16で、留守番状態解除表示データを受信したことを検出した場合は、Step17で、留守相手先データを解除する。Step18で、指定内線電話機の留守相手先情報のLCD表示をクリアする。Step19で、フレキシブルキーに留守相手先の登録が有るかどうか調べる。あれば、Step20で、留守相手先のLED表示を在宅に変更する。システム外の相手方の場合は、単に留守番状態解除の電子メールを受信するだけである。留守番状態解除通知メッセージを受け取った相手方は、電子メールを見て帰宅を知るので、安心して電話発信できる。
【００１６】
次に、図５を参照しながら、同一電話システム内で留守番状態解除通知を受信した側の電話機の発信動作を説明する。Step21で、利用者が通話したい相手の電話番号をダイヤルする。Step22で、相手先の電話番号が留守状態にあるかどうか調べる。あれば、Step23で、ダイヤル先の相手が留守であることを表示する。無ければ、表示しない。Step24で、外線発信であるかどうか調べる。外線発信であれば、Step25で、外線発信を行う。
【００１７】
上記のように、本発明の実施例では、電話装置に、特定の相手方の電話番号に対応して記憶した電子メールアドレスを記憶しておき、留守番状態解除信号に応答して、記憶手段から電子メールアドレス宛に帰宅したことを知らせるメッセージを送信する構成にしたので、発信操作をすることなく相手に帰宅を知らせることができる。また、同一電話システム内では、電話装置に、留守状態通知先情報を記憶しておき、留守番状態解除信号に応答して、記憶手段から留守状態通知先情報宛に帰宅したことを知らせるメッセージを送信する構成にしたので、発信操作をすることなく相手に帰宅を知らせることができる。
【図面の簡単な説明】
【００１８】
【図１】本発明の実施例におけるIP電話装置の留守番状態解除通知に関連する部分の構成を示す機能ブロック図である。
【図２】同一電話システム内のIP電話の説明図である。
【図３】本発明の実施例におけるIP電話装置の動作手順を示す流れ図である。
【図４】留守番状態解除通知を受信する側のIP電話装置の受信動作手順を示す流れ図である。
【図５】留守番状態解除通知を受信する側のIP電話装置の発信動作手順を示す流れ図である。
【符号の説明】
【００１９】
１・・・記憶手段、２・・・留守番状態解除手段、３・・・発信手段、４・・・メッセージ手段。
【図１】
2006100872.tif 000003
【図２】
2006100872.tif 000004
【図３】
2006100872.tif 000005
【図４】
2006100872.tif 000006
【図５】
2006100872.tif 000007